(57)【特許請求の範囲】
【請求項１】
弾弦部及び複数のフレットからなる指板部を有する本体の少なくとも前記弾弦部に設けられた複数の弦と、
この弦が弾弦されたことを検出する弾弦検出手段と、
音高を指定するために前記指板部の各フレットに前記複数の弦に対応して設けられ、所定の押圧変位量に応じてオンとなる第１の接点及び前記所定の押圧変位量より大きい押圧変位量に応じてオンとなる第２の接点を有する音高スイッチと、
この音高スイッチの第１の接点のみがオンである状態のときはハーモニック奏法の演奏処理の指令を発し、前記音高スイッチがそれ以外の状態のときは通常奏法の演奏処理の指令を発する制御手段と、
を備えたことを特徴とする電子弦楽器。
【請求項２】
前記制御手段は、前記音高スイッチの第１及び第２の接点のオン・オフの状態に応じて、通常奏法及びハーモニック奏法の演奏処理プログラムを記憶している記憶手段からいずれか１つの演奏処理プログラムを読み出して発音処理を行うことを特徴とする請求項１記載の電子弦楽器。
【請求項３】
弾弦部及び複数のフレットからなる指板部を有する本体の少なくとも前記弾弦部に設けられた複数の弦と、
この弦が弾弦されたことを検出する弾弦検出手段と、
音高を指定するために前記指板部の各フレットに前記複数の弦に対応して設けられ、所定の押圧変位量に応じてオンとなる第１の接点及び前記所定の押圧変位量より大きい押圧変位量に応じてオンとなる第２の接点を有する音高スイッチと、
この音高スイッチの第１及び第２の接点のオン・オフの状態に応じて、通常奏法及びハーモニック奏法の演奏処理プログラムを記憶している記憶手段からいずれか１つの演奏処理プログラムを読み出して発音処理を行う制御手段と、
を備えたことを特徴とする電子弦楽器。
【請求項４】
弾弦部及び複数のフレットからなる指板部を有する本体の少なくとも前記弾弦部に設けられた複数の弦と、
この弦が弾弦されたことを検出する弾弦検出手段と、
音高を指定するために前記指板部の各フレットに前記複数の弦に対応して設けられ、所定の押圧変位量に応じてオンとなる第１の接点及び前記所定の押圧変位量より大きい押圧変位量に応じてオンとなる第２の接点を有する音高スイッチと、
この音高スイッチの第１及び第２の接点のオン・オフの状態に応じて、通常奏法又はハーモニック奏法の演奏を決定するエフェクタ手段の設定データを変更する制御手段と、
を備えたことを特徴とする電子弦楽器。
【請求項５】
前記制御手段は、前記音高スイッチの第１及び第２の接点のオン・オフの状態に応じて、通常奏法又はハーモニック奏法の演奏を決定するエフェクタ手段の設定データを変更することを特徴とする請求項１記載の電子弦楽器。
【発明の詳細な説明】
【０００１】
【発明が属する技術分野】
この発明は電子ギター等の電子弦楽器に関する。
【０００２】
【従来の技術】
従来の電子ギターの中には、指板部に各弦及び各フレット位置に対応して音高スイッチが設けられており、指の押圧によってフレット位置を検出して、そのフレット位置に対応する音高データをメモリに記憶するものがある。このような電子ギターにおいては、任意の弦の弾弦に応じてメモリからその弦に対応する音高データを読み出し、音源に供給して発音させることにより演奏を行っている。
【０００３】
【発明が解決しようとする課題】
しかしながら、上記従来の電子弦楽器においては、指板部には音高を決定するための実際の弦が張られておらず、音高スイッチのオン又はオフにより指の押圧の有無の情報しか得られないため、弾弦と同時に指板部から指を離すことによって、倍音のみを発音させるハーモニクス奏法のような特殊演奏ができないという問題があった。
この発明の課題は、指板部に音高を決定するための実際の弦をもたず、音高スイッチによって音高を決定して発音を行う場合でも、ハーモニクス奏法のような特殊演奏ができるようにすることである。
【０００４】
【課題を解決するための手段】
請求項１に記載の発明は、弾弦部及び複数のフレットからなる指板部を有する本体の少なくとも弾弦部に設けられた複数の弦と、この弦が弾弦されたことを検出する弾弦検出手段と、音高を指定するために指板部の各フレットに複数の弦に対応して設けられ、所定の押圧変位量に応じてオンとなる第１の接点及び所定の押圧変位量より大きい押圧変位量に応じてオンとなる第２の接点を有する音高スイッチと、この音高スイッチの第１の接点のみがオンである状態のときはハーモニック奏法の演奏処理の指令を発し、音高スイッチがそれ以外の状態のときは通常奏法の演奏処理の指令を発する制御手段と、を備えた構成になっている。
また、請求項３に記載の発明は、弾弦部及び複数のフレットからなる指板部を有する本体の少なくとも弾弦部に設けられた複数の弦と、この弦が弾弦されたことを検出する弾弦検出手段と、音高を指定するために指板部の各フレットに複数の弦に対応して設けられ、所定の押圧変位量に応じてオンとなる第１の接点及び所定の押圧変位量より大きい押圧変位量に応じてオンとなる第２の接点を有する音高スイッチと、この音高スイッチの第１及び第２の接点のオン・オフの状態に応じて、通常奏法及びハーモニック奏法の演奏処理プログラムを記憶している記憶手段からいずれか１つの演奏処理プログラムを読み出して発音処理を行う制御手段と、を備えた構成になっている。
更に、請求項４に記載の発明は、弾弦部及び複数のフレットからなる指板部を有する本体の少なくとも弾弦部に設けられた複数の弦と、この弦が弾弦されたことを検出する弾弦検出手段と、音高を指定するために指板部の各フレットに複数の弦に対応して設けられ、所定の押圧変位量に応じてオンとなる第１の接点及び所定の押圧変位量より大きい押圧変位量に応じてオンとなる第２の接点を有する音高スイッチと、この音高スイッチの第１及び第２の接点のオン・オフの状態に応じて、通常奏法又はハーモニック奏法の演奏を決定するエフェクタ手段の設定データを変更する制御手段と、を備えた構成になっている。
このような構成により、いずれの発明も、指板部における指の押圧操作による第１及び第２の接点のオン・オフの状態に応じて通常奏法又は特殊（ハーモニック＝ハーモニクス）奏法の演奏処理を行う。
【０００５】
【発明の実施の形態】
以下、図１〜図４を参照してこの発明の電子弦楽器の第１及び第２実施形態を電子ギターを例に採り説明する。
各実施形態における電子ギターには、図１（Ａ）に示すように、本体１に指板部２が取り付けられ、指板部２の本体１側の端部３と本体１の中央部に設けられたテールピース４との間に６本の弦５が張られている。そして、本体１の内部にはスピーカ６が取り付けられている。また、指板部２の表面にはフレット番号ＦＲＥＴ（０）〜ＦＲＥＴ（１４）によって識別される１５個（ただし、ＦＲＥＴ（０）は開放弦）のフレット７が形成されている。指板部２には、６本の弦５に対応して実際の弦に似せた６本の線状部材８が弾性材によって形成され、実際の弦と同じように押圧によって撓む構造になっている。さらに、この線状部材８の下側の指板部２内部には、各フレット７ごとに各弦５に対応して音高スイッチ９が設けられている。
【０００６】
各音高スイッチ９は、図１（Ｂ）に示すように、指板部２の上面を形成する弾性板２ａと内部に埋設されたプリント基板２ｂとの間に、接点１（第１の接点）及び接点２（第２の接点）からなる２つの接点で構成されている。各接点は、プリント基板２ｂ側に形成された導電ゴム９ａ及び弾性板２ａ側に形成された導電ゴム９ｂとでスイッチを構成する。ただし、一方の接点１は導電ゴム９ａ及び９ｂの間隔が小さく、他方の接点２は導電ゴム９ａ及び９ｂの間隔が大きく形成されている。したがって、任意のフレット７の任意の線状部材８を所定の変位量で押圧すると弾性板２ａが撓み、まず接点１の導電ゴム９ａ及び９ｂが先に接触して接点１がオンとなる。線状部材８をさらに大きな変位量で押圧すると弾性板２ａがさらに撓み、接点２の導電ゴム９ａ及び９ｂが接触して接点２がオンとなる。
【０００７】
この電子ギターの内部には、図２に示すように、制御手段であるＣＰＵ１１を中核とする回路ブロックが設けられている。すなわち、ＣＰＵ１１には指板システム１２、弦システム１３、ＲＯＭ１４、ＲＡＭ１５、音源１６が接続されている。さらに、音源１６にはサウンドシステム１７が接続されている。
指板システム１２は、ＣＰＵ１１からの指令に応じて指板部２の音高スイッチ９を走査して、接点１及び接点２のオン・オフ状態を検出してＣＰＵ１１に入力する。弦システム１３は、ＣＰＵ１１からの指令に応じて弦５の弾弦状態を検出してＣＰＵ１１に入力する弾弦検出手段を構成する。ＲＯＭ１４は、ＣＰＵ１１の動作を制御するプログラムやプログラムの実行中に参照するデータを記憶している記憶手段である。ＲＡＭ１５は、ＣＰＵ１１が処理するデータを一時的に記憶する。音源１６は、ＣＰＵ１１から与えられる音高データ等からなる楽音データ及び発音処理の指令に基づいて音響信号を出力する。サウンドシステム１７は、Ｄ／Ａコンバータ、アンプ、スピーカ等（図示せず）で構成され、音源１６からの音響信号に応じて発音を行う。
【０００８】
次に、図３に示すＣＰＵ１１のフローチャートを参照して第１実施形態の動作について説明する。なお、この第１実施形態において、ＲＯＭ１４には通常奏法のプログラムＡ及びハーモニクス奏法のプログラムＢが格納されている。そして、初期状態においてはＣＰＵ１１によりプログラムＡが読み出される。
【００】
ＣＰＵ１１は、弦システム１３を介して弾弦があるか否かを判別し（ステップＳ１１）、弾弦がない場合にはこのフローを終了し、弾弦があったときは指板システム１２を介して指板部２を走査する（ステップＳ１２）。そして、各音高スイッチ９の接点２がオンか否かを判別する（ステップＳ１３）。接点２がオフのときは、その音高スイッチ９の接点１がオンか否かを判別する（ステップＳ１４）。接点１がオンのときは、プログラムＡからプログラムＢにチェンジして（ステップＳ１５）、プログラムＢに基づく倍音の音色データにより、音源１６に対してハーモニクス奏法の発音処理を指令する（ステップＳ１６）。この後、プログラムＢからプログラムＡにチェンジして（ステップＳ１７）、このフローを終了する。
【０００９】
一方、ステップＳ１３において、接点２がオンのときは、その音高スイッチ９の接点１も当然にオンになっているので、プログラムＡに基づく音色データにより、そのフレット番号の音高データで音源１６に対して通常奏法の発音処理を指令して（ステップＳ１８）、このフローを終了する。また、ステップＳ１４において接点１がオフのときは、同じくプログラムＡに基づく音色データにより、開放弦の音高データで音源１６に対して通常奏法の発音処理を指令して（ステップＳ１８）、このフローを終了する。
【００１０】
このように、上記第１実施形態によれば、音高スイッチ９の接点１及び接点２のオン・オフの状態に応じて異なる演奏処理の指令を発し、接点１のみがオンであるときはＲＯＭ１４から読み出すプログラムを変更して、ハーモニック奏法の演奏処理の指令を発する。したがって、指板部２に音高を決定するための実際の弦をもたず、音高スイッチ９によって音高を決定して発音を行う場合でも、ハーモニクス奏法のような特殊演奏ができる。
【００１１】
なお、上記第１実施形態では、ハーモニック奏法の音色データはＲＯＭ１４にあらかじめ記憶されている構成にしたが、ハーモニック奏法の音色データは、ユーザの操作によって設定される構成にしてもよい。
【００１２】
次に、図４に示すＣＰＵ１１のフローチャートを参照して第２実施形態の動作について説明する。なお、この第２実施形態においては、音源１６内にデジタルイコライザ等のエフェクタ（図示せず）を備えており、このエフェクタの設定データ、例えばデジタルイコライザのカットオフ周波数の設定データに応じて通常奏法又はハーモニクス奏法の発音処理を行うことができる。通常奏法及びハーモニクス奏法の設定データは、ＲＯＭ１４にあらかじめ記憶されており、初期状態においては通常奏法の設定データになっている。
【００１３】
ＣＰＵ１１は、弦システム１３を介して弾弦があるか否かを判別し（ステップＳ２１）、弾弦がない場合にはこのフローを終了し、弾弦があったときは指板システム１２を介して指板部２を走査する（ステップＳ２２）。そして、各音高スイッチ９の接点２がオンか否かを判別する（ステップＳ２３）。接点２がオフのときは、その音高スイッチ９の接点１がオンか否かを判別する（ステップＳ２４）。接点１がオンのときは、エフェクタの設定データをハーモニクス奏法の設定データに変更して（ステップＳ２５）、エフェクタの設定データに基づくハーモニクス奏法の倍音の音色データにより、音源１６に対して発音処理を指令する（ステップＳ２６）。この後、ハーモニクス奏法の設定データから通常奏法の設定データに変更して（ステップＳ２７）、このフローを終了する。
【００１４】
一方、ステップＳ２３において、接点２がオンのときは、その音高スイッチ９の接点１も当然にオンになっているので、エフェクタの通常奏法の設定データに基づく音色データにより、そのフレット番号の音高データで音源１６に対して発音処理を指令して（ステップＳ２８）、このフローを終了する。また、ステップＳ２４において接点１がオフのときは、同じくエフェクタの通常奏法の設定データに基づく音色データにより、開放弦の音高データで音源１６に対して発音処理を指令して（ステップＳ２８）、このフローを終了する。
【００１５】
このように、上記第２実施形態によれば、音高スイッチ９の接点１及び接点２のオン・オフの状態に応じて異なる演奏処理の指令を発し、接点１のみがオンであるときはエフェクトの設定データを変更して、ハーモニック奏法の演奏処理の指令を発する。したがって、指板部２に音高を決定するための実際の弦をもたず、音高スイッチ９によって音高を決定して発音を行う場合でも、ハーモニクス奏法のような特殊演奏ができる。
【００１６】
なお、上記第２実施形態では、ハーモニック奏法のエフェクタの設定データはＲＯＭ１４にあらかじめ記憶されている構成にしたが、ユーザの操作によって設定される構成にしてもよい。
【００１７】
また、上記各実施形態では、電子ギターの本体１の弾弦部に弦５を設け、指板部２には実際の弦を設けず、弦に似た線状部材８を設けたが、弾弦部及び指板部２に亘って弦を張ってもよい。ただし、この場合でもその弦の振動によっては音高は決定されず、指板部２内部に設けられた音高スイッチ９によって音高が決定する。
【００１８】
また、上記各実施形態では、特殊奏法としてハーモニクス奏法を例に採ったが、トレモロ奏法やエコー付加奏法等の特殊奏法であってもよい。
【００１９】
【発明の効果】
この発明によれば、指板部における指の押圧操作による第１及び第２の接点のオン・オフの状態に応じて、通常奏法又は特殊奏法の演奏処理を行う。したがって、指板部に音高を決定するための実際の弦をもたず、音高スイッチによって音高を決定して発音を行う場合でも、ハーモニクス奏法のような特殊演奏ができる。
【図面の簡単な説明】
【図１】この発明の各実施形態における電子ギターの図で、（Ａ）はその平面図、（Ｂ）は指板部の音高スイッチの構造を示す断面図。
【図２】図１における電子ギターの内部のシステム構成を示すブロック図。
【図３】第１実施形態におけるＣＰＵの動作を示すフローチャート。
【図４】第２実施形態におけるＣＰＵの動作を示すフローチャート。
【符号の説明】
１１  ＣＰＵ
１２  指板システム
１３  弦システム
１４  ＲＯＭ
１５  ＲＡＭ
１６  音源
１７  サウンドシステム
【図１】
0003716499.tif 000002
【図２】
0003716499.tif 000003
【図３】
0003716499.tif 000004
【図４】
0003716499.tif 000005